(57)【要約】      （修正有）【課題】姿見などの鏡の取付け部分の構造として、簡単でしかも見栄えのよい構造を実現する。【解決手段】鏡取付け構造を、取付け面２に対して鏡１を固定するビス３と、ビス３の頭部３ａを支受する座筒４と、ビス頭３ａの外表面を覆うキャップ８で構成する。ビス頭３ａを支受する座筒４は、有底筒状であって外周面に雄ネジ５を形成するとともに底面にビス３のネジ部３ｂが通過する貫通孔６を穿設し、貫通孔６の外方を皿モミ状のビス頭支受面７とする。また、ビス頭３ａの外表面を覆うキャップ８は、座筒４よりも大径の帽状とし、その内部に内筒９を形成しておく。内筒９の内周面には、前記座筒４の外周面に形成した雄ネジ５に螺合する雌ネジ１０を形成しておく。【選択図】図１
0003146518.tif 000002
【実用新案登録請求の範囲】
【請求項１】
取付け面に対して鏡を固定するビスと、該ビスの頭部を支受する座筒と、ビス頭の外表面を覆うキャップで構成し、
ビス頭を支受する座筒は、有底筒状であって外周面に雄ネジを形成するとともに底面にビスのネジ部が通過する貫通孔を穿設し、該貫通孔の外方を皿モミ状のビス頭支受面とし、
ビス頭の外表面を覆うキャップは、前記座筒よりも大径の帽状であって、その内部に内筒を形成し、該内筒の内周面に前記座筒の外周面に形成した雄ネジに螺合する雌ネジを形成したことを特徴とする鏡取付け構造。
【請求項２】
座筒と鏡の表面との間にゴムパッキンなどの緩衝材を介在させたことを特徴とする請求項１記載の鏡取付け構造。
【請求項３】
キャップは、大径の帽状である外装体と、外径が前記外装体の内径に等しく中心部に雌ネジ筒である内筒を形成した内装体とで構成し、外装体に内装体を一体的に嵌合させたものであることを特徴とする請求項１又は２記載の鏡取付け構造。
【考案の詳細な説明】
【技術分野】
【０００１】
本考案は、姿見などの鏡において、鏡を取り付け面に固定するための取付け構造に関する考案である。
【背景技術】
【０００２】
従来、鏡の取付け構造としては、特許文献１や２に開示されているように鏡の上下を、横長に板材を折曲形成したフック状の支持具で支持する構造が一般的で、下端を支持させた状態で上端を支持するフック状の支持具を上下方向に移動させて鏡を支持する各種の構造が工夫されている。
また、特許文献３には、大きな直径の円形係止具を、鏡の四隅に相当する取付け面にネジ止めし、円形係止具の一部に鏡の隅部分を係合させることによって、鏡の四隅を係合固定する構造が開示されている。
【特許文献１】特開平１１―１９６９８７号公報
【特許文献２】実開平４−８９０６７号公報
【特許文献３】実開平４−４３１６１号公報
【考案の開示】
【考案が解決しようとする課題】
【０００３】
従来の、特許文献１や２に開示される樋状のフックで鏡を支受する構造は、構造が複雑で高価であるとともに、横方向に妄動する可能性がある。また、特許文献３に記載された方法では、例えば係止状態がガタ付いたりして、必ずしも確実に固定することができない欠点があった。
【０００４】
上記、従来技術の欠点に鑑み、本考案は、比較的簡単な構造で、かつ確実に鏡を固定し、外観的に優れた見栄えのよい鏡固定構造を提供することを目的とするものである。
【課題を解決するための手段】
【０００５】
請求項１記載の、鏡取付け構造は、取付け面２に対して鏡１を固定するビス３と、ビス３の頭部3aを支受する座筒４と、ビス頭3aの外表面を覆うキャップ８で構成する。ビス頭3aを支受する座筒４は、有底筒状であって外周面に雄ネジ５を形成するとともに、底面にビス３のネジ部3bが通過する貫通孔６を穿設し、貫通孔６の外方を皿モミ状のビス頭支受面７とする。
【０００６】
ビス頭3aの外表面を覆うキャップ８は、前記した座筒４よりも大径の帽状であって、その内部に内筒９を形成し、この内筒９の内周面に前記した座筒４の外周面に形成した雄ネジ５に螺合する雌ネジ10を形成したものである。
【０００７】
請求項２記載の考案は、座筒４と鏡１の表面との間に、ゴムパッキンなどの緩衝材11を介在させたことである。
請求項３記載の発明は、キャップ８の具体的構造に関し、キャップ８を大径の帽状である外装体8aと、外径が前記外装体8aの内径に等しく中心部に雌ネジ筒である内筒９を形成した内装体8bとで構成し、外装体8aに内装体8bを一体的に嵌合させたことである。
【考案の効果】
【０００８】
請求項１記載の考案によれば、鏡１を取付け面２にビス３止めするものであるため、簡単かつ確実に固定することができ、座筒４と座筒４に螺着するキャップ８を用いることによって、ビス頭を効果的に覆い見栄えの良い状態に仕上げることができる。このとき、キャップ８は単に差し込むようなものではなく座筒４に螺着するものであることから、キャップ８が脱落するようなことがない。
【０００９】
請求項２記載の考案によれば、鏡１の表面と座筒４の間にゴムパッキンなどの緩衝材11を介在させることにより、例えば鏡１が合成樹脂製のものであっても、その表面に傷を付けることがないとともに、緩衝材11の緩衝効果によって、鏡をガタ付くことなく、より強固に固定することができる。緩衝材11はゴムパッキンのように、独立したリング状であってもよいが、座筒４の端面に固着しておくものであってもよい。
【００１０】
請求項３記載の考案によれば、特殊な構造となるキャップ８を容易に製造することができる。
【考案を実施するための最良の形態】
【００１１】
以下、本考案に係る鏡取付け構造の好ましい実施形態を、添付の図面に基づいて説明する。
図１は鏡取付け部構造の分解斜視図、図２は、鏡の一例として姿見に応用した実施形態を示す全体の斜視図、図３は図２のIII−III線部分の拡大断面図である。
【００１２】
図２に示す姿見は、自立させることができるようにした例えば木製のフレーム12の表面に鏡１を配置し、鏡１の四隅部分をビス止めの固定構造によって確実に固定する。この実施形態では、鏡１の取付け面２はフレーム表面に相当するが、鏡の種類によって取付け面は特に限定されるものではない。
【００１３】
固定構造は、図１に示すように、取付け面２に対して鏡１を固定するビス３と、このビス３の頭部3aを支受する座筒４と、ビス頭3aの外表面を覆うキャップ８で構成する。ビス頭3aを支受する座筒４は、有底筒状であって外周面に雄ネジ５を形成するとともに底面にビス３のネジ部3bが通過する貫通孔６を穿設し、貫通孔６の外方を皿モミ状のビス頭支受面７としている。
【００１４】
ビス頭3aの外表面を覆うキャップ８は、前記座筒４よりも大径の帽状とし、その内部に内筒９を形成している。そして、内筒９の内周面に前記座筒４の外周面に形成した雄ネジ５に螺合する雌ネジ10を形成している。このとき、座筒４と鏡１の表面との間に、ゴムパッキンなどの緩衝材11を介在させるのが好ましい。図中13は、鏡１に穿設したビス３のネジ部3bが通過する直径の取付け孔である。
【００１５】
上記、取付け構造によって鏡１を取付け面２に取付けるには、鏡１を定位置に配置し、鏡１の四隅部分においてそれぞれ、ゴムパッキンなどの緩衝材11を介在させて座筒４を取付け孔13の直上に配置し、ビス３をねじ込むことによって鏡１を固定する。その状態でキャップ８を座筒４に螺着することによってビス頭3aや座筒４を覆い隠す。すなわち、鏡の表面にはキャップ８の外表面のみが表れ、見栄え良く姿見などの鏡を組み立てることができる。
【００１６】
鏡の外表面には、キャップのみが表れることになるため、キャップは外観的に優れた、ステンレスなどの金属製としておくのが好ましい。しかしながら、合成樹脂製の一体成型品として実施することも可能である。
座筒４と鏡１の表面の間に介在させる緩衝材は、汎用されているゴムパッキンを利用することができるが、これ以外の材質とすることも可能である。また、予め座筒４の端面に固着しておくものであってもよい。いずれにしても、座筒４と鏡１の表面の間に緩衝材11を介在させることによって、鏡の表面を傷つけることがなく、例えば合成樹脂製の鏡の固定構造として安心して採用することができる。
【００１７】
本考案において使用するキャップ８は、座筒４よりも大径の帽状とし、その内部に内筒９を形成する。さらに、内筒９の内周面に雌ネジ10を形成するという特殊な構造としている。このようなキャップを製造するには、削り込みによって製造することもできるが、より効率的な構造としてより製造が容易な二つの部材を組み合わせることによって製造することができる。
【００１８】
すなわち、キャップ８を大径の帽状である外装体8aと、外径が前記外装体の内径にほぼ等しく、中心部に雌ネジ筒である内筒９を形成した内装体8bとで構成する。そして、外装体8aに内装体8bを一体的に嵌合させる。一体的に嵌合させるには、図４に示すように帽状の外装体8aに予め内筒９を形成した内装体8bを、無理嵌めした構造とすることによって、特殊な構造のキャップ８を提供することができる。
【図面の簡単な説明】
【００１９】
【図１】図１は、本考案に係る鏡取付け部構造の分解斜視図、
【図２】図２は、鏡の一例として姿見に応用した実施形態を示す全体の斜視図、
【図３】図３は、図２のIII−III線部分の拡大断面図、
【図４】図４は、キャップ構造の一例を示すもので、分解状態で示す断面図である。
【符号の説明】
【００２０】
１…鏡、  ２…取付け面、  ３…ビス、  3a…頭部、  3b…ネジ、  ４…座筒、  ５…雄ネジ、  ６…貫通孔、  ７…ビス頭支受面、  ８…キャップ、  8a…外装体、  8b…内装体、  ９…内筒、  10…雌ネジ、  11…緩衝材、  12…フレーム、  13…取付け孔。
【図１】
0003146518.tif 000003
【図２】
0003146518.tif 000004
【図３】
0003146518.tif 000005
【図４】
0003146518.tif 000006